(57)【要約】【課題】絵画制作中に水彩や油彩などの絵具の付いた筆をちょっと置いて他の色を塗ろうとする際に、穂先の絵具で洋服や他の場所を汚さないようにするための適当な筆の置き場所を探すことが困難であった。【解決手段】絵具を収納する絵具箱の蓋の天板の内面に、上端に適度な間隔を設けた筆置き可能な凹部を備えた筆置き板の下端を回動可能に取り付けて、これを立設して筆置きとする。蓋の中に筆置き板を畳みこんだら絵具箱の蓋として利用できるようにする。【選択図】図１
2013184440.tif 000002
【特許請求の範囲】
【請求項１】
四方側板と天板を有する絵具箱の蓋の天板の内面の前側板近傍に、上端に筆置き可能な凹部を設けた筆置き板の下端が回動可能に取り付けられ、前記凹部が、前記前側板の上端よりも上部に位置するように、前記前側板に寄り掛って立設されることを特徴とする筆置き板付き蓋。
【請求項２】
前記天板の内面に、上端に係止片を有する支え板の下端が回動可能に取り付けられ、立設されたこの支え板の係止片に、この支え板の近傍に取り付けられた係止部を有する前記筆置き板が、寄り掛るように立設係止されることを特徴とする請求項１記載の筆置き板付き蓋。
【請求項３】
前記筆置き板の左右の端部に、左右の側板間の内寸よりも幅広となるように、ストッパ片を設けたことを特徴とする請求項１，２記載の筆置き板付き蓋。
【請求項４】
前記筆置き板の上端に持ち上げ片を設けたことを特徴とする請求項１，２，３記載の筆置き板付き蓋。
【発明の詳細な説明】
【技術分野】
【０００１】
本発明は使用中の絵筆を絵具箱の蓋に置く技術に関するものである。
【背景技術】
【０００２】
絵画制作中、絵具がついたままの筆を少しの間置く際に、机の上に置いたら転がって他の物を汚すとか、筆たてを利用しようとすると、筆たてを持ってきておかなくてはならないとか、立てたら隣の筆に穂先と穂先が接触して色が混じってしまうとか、高さが高いため忙しく動かす手が当たり易いとか、ちょっと手が当たっただけで筆たてがひっくり返ってしまうとか、持ち運びやあとかたずけを楽にするために、できるだけ少ない絵画用具で済ませたいのに種類が増えてしまうとかの問題点があった。
【０００３】
そこで、絵具箱とか画材箱を利用して、筆置きや筆たてとする技術があった。
（特許文献１参照。）。この技術は絵具箱の蓋の側板に切り込みを入れたものであり、蓋として使用する際に、蓋の強度が弱くなるとか、見栄えが良くないとかの問題点があった。
【０００４】
また、筆箱の中ほどに筆受け立ち上がり片を固定取り付けしたものがあった。（特許文献２参照。）。しかし図11に示されるこの実施例は、箱の蓋としては使用不可能なものであった。
【０００５】
そして、受け台に凹凸の筆置きを設けたものがあった（特許文献３参照。）。しかし、絵具箱の蓋にはならないものであった。
【０００６】
それと、画材を収納する絵具箱の開いた蓋に凹溝が設けてあって、これに筆を立て掛けるものがあった（特許文献４参照。）。しかし、立て掛けた筆に忙しく動かす手が当たり易かった。
【０００７】
そして、筆用セットプレート１Aに係止片３Aが固定されたものがあったが（特許文献５参照。）、絵具箱の蓋には利用できないものである。
【先行技術文献】
【特許文献】
【０００８】
【特許文献１】実開平07−44484
【特許文献２】特開平08−108675
【特許文献３】特開平10−35177
【特許文献４】実開平昭61−064500
【特許文献５】特開平2003−93129
【発明の概要】
【発明が解決しようとする課題】
【０００９】
本発明は、このような従来の技術が有していた問題点を解決しようとするものであり、絵画用具の点数を増やさずに、水彩や油彩やアクリルなどの絵具のチューブ容器を収納する絵具箱の蓋を利用した筆置き付き蓋を提供することを目的とするものである。
【課題を解決するための手段】
【００１０】
本発明の第１の課題解決手段は上記の目的を達成するために、四方側板と天板を有する絵具箱の蓋の天板の内面の前側板近傍に、上端に筆置き可能な凹部を設けた筆置き板の下端が回動可能に取り付けられ、前記凹部が、前記前側板の上端よりも上部に位置するように、前記前側板に寄り掛って立設されることを特徴とする筆置き板付き蓋としたものである。
【００１１】
つぎに、本発明の第２の課題解決手段は上記の目的を達成するために、前記天板の内面に、上端に係止片を有する支え板の下端が回動可能に取り付けられ、立設されたこの支え板の係止片に、この支え板の近傍に取り付けられた係止部を有する前記筆置き板が、寄り掛るように立設係止されることを特徴とする請求項１記載の筆置き板付き蓋としたものである。
【００１２】
そして、本発明の第３の課題解決手段は上記の目的を達成するために、前記筆置き板の左右の端部に、左右の側板間の内寸よりも幅広となるように、ストッパ片を設けたことを特徴とする請求項１，２記載の筆置き板付き蓋としたものである。
【００１３】
そして、本発明の第４の課題解決手段は上記の目的を達成するために、前記筆置き板の上端に持ち上げ片を設けたことを特徴とする請求項１，２，３記載の筆置き板付き蓋としたものである。
【発明の効果】
【００１４】
上記解決手段による効果は次のとおりである。
【００１５】
絵画制作中に、ある場所に塗るためにある色を付けた筆をちょっと置いて、他の部分を他の色で塗りたくなることはしょっちゅうあることであるが、絵具のチューブ容器を収納する通常は紙製の絵具箱の蓋に設けられた本発明の筆置き板を立設したら、筆を置くための凹部が適当な間隔で設けてあるため、筆を摘まみあげたり、置いたりする際に指先が隣の筆の軸に触れにくいため、筆が落下したりすることがなく、絵具が机や他の場所に付着することがなくなるものである。また、筆の穂先が隣の穂先に触れることがなくなって、色が混じることがなくなるものである。
【００１６】
特に、洋服などに付着したら拭き取ったり、洗い落とすことが困難な油絵具とかアクリル絵具の場合には他の場所に付いては大変という気持ちが軽減され、気持ちを楽に制作できるようになるものである。
【００１７】
筆置き板を前側板に寄り掛るように立設したら、左右のストッパ片の先端の寸法が左右の側板の内寸よりも少し幅広のため側板に突っ張った状態となり、その弾力性により側板との間に摩擦力が働いて固定され、天板との取り付け材の弾力でひとりでに元の方へ倒れたりすることはないものである。弾力性を発揮しやすくするために、筆置き板部の左右がたわみ易いように取り付け部の長さは筆置き板よりも短くしてあり、粘着テープや薄紙などで天板の内面に回動可能に取り付けられている。
【００１８】
従来のプラスチック製などの軽量の筆たては筆を縦にして置くため、高さが高くなるとともに、重心位置も高くなり、制作中忙しく動かす手が筆に当たりやすいし、少し当たっただけでひっくり返ることがあって、周囲や洋服に油絵具などを付けてしまい、大変困ることがあったが、本発明では蓋の中に置くため低い位置にあるので手が当たりにくくなるし、少しくらい当たっても重心位置が低いためひっくり返ることがなく周囲を汚す可能性が少なくなるものである。
【００１９】
絵画制作中に、絵具の付いた筆をちょっと置きたいときにどこへ置こうかと考え迷うこともしょっちゅうあって、何本もの筆を机の上や蓋の縁や筆たてなどいろいろな所へ置いていたため、どれがどの色であったか良く分からなくなってしまい、再度塗る際に他の白紙などに試し塗りなどをしなくてはならないこともあったが、順序良く並んでいるため前述のような問題点が解決され、気持ちよく彩色作業が可能になるものである。
【００２０】
絵画制作が終わったら筆置き板を蓋の中に回動させて納めたら、ストッパ片が両側の側板に当接して摩擦力が働いて固定されるため、天板を上にして絵具箱に蓋をする際に、筆置き板が垂れ下がることもなく、今まで通りの蓋としての機能を果たすものであるし、蓋をしたら外観では筆置き板は見えることがなく、厚みもわずかであるため、美観を損ねることもないものである。
【００２１】
それと、図６のように、前側板12の内面に筆置き板20の外面が接するように立設できる構成としたならば、絵具チューブ42を収納してある絵具収納箱4を、蓋10の中に納めておくことが可能となり、絵画用具の並んだ狭い机の上をより広く使うことが可能となるものである。
蓋10の前後の側板12，13間の寸法を筆置き板20の厚さ分だけわずかに大きくする必要はある。だからといって、蓋10をした絵具箱4を左右の側板15，14を指でつまんで持ち上げる際に、蓋10が従来よりも外れて落ちやすくなることはあまり考えなくても良い。なぜなら、保持力の多くは絵具収納箱4の長手方向である左右の側板と、蓋の左右の側板15，14との間の摩擦力で保持されているからである。ただし、蓋10は従来より少し余裕をもって大き目に造られているため、筆置き板20の厚さが薄い場合には、蓋を大きくする必要もない場合もある。
【００２２】
そして、絵具の色数が多い場合などは蓋の長さが長くなるが、図７（a）のように、天板11の中ほどに筆置き板20を取り付けて、立設した筆置き板20を支える支え板26を近傍に取り付けておいてもよい。
【００２３】
小学校などで絵画制作中の絵筆を机の上に置いたりしたら机を汚すとか、転がり落ちて床を汚すとか、穂先にホコリがくっついてしまっていたが、本発明の筆置き板付き蓋を使用したら、これらの問題点が解消され、児童が絵画制作に集中できる一助となるものである。
【００２４】
この筆置き板は材質を紙製としたら紙製の絵具箱を製造する際に同じ手で製造できるし、使用者が使用後にゴミとして廃棄処分する際に分別し易くなるものである。
【図面の簡単な説明】
【００２５】
【図１】本発明の実施例を示す断面図である。
【図２】本発明の実施例を示す斜視図である。
【図３】（a）、（ｂ）本発明の実施例を示す拡大断面図である。
【図４】本発明の実施例を示す拡大断面図である。
【図５】本発明の実施例を示す断面図である。
【図６】本発明の実施例を示す断面図である。
【図７】（a）、（ｂ）本発明の実施例を示す断面図と斜視図である。
【発明を実施するための形態】
【００２６】
以下、本発明の実施例について、図１〜図７に基づいて説明する。
【００２７】
図１、図２に示す実施例は、絵具のチューブ容器42を収納する絵具箱4の蓋10の天板11の内面の前側板12の近傍に、筆置き板20の下端を粘着テープなどの柔軟シート25で回動可能に取り付けてあり、この筆置き板20を前側の側板12に寄り掛けて立設したところの図である。図2や図４に示すように筆置き板20の上端に筆を置いて少しくらい手が当たったり蓋を傾けたりしても、横に転がらないようにするための複数の筆置きの凹部21が設けてある。この凹部21の幅と深さは大筆の軸が入る程度の寸法としておけば好適である。また、凹部21の間隔は指先で軸を摘まむ際に指先が軸と軸の間に入る程度が良いので、２０〜３０ｍｍ程度としておけば良いであろう。
【００２８】
図３（a）、（ｂ）は筆置き板20の拡大断面図であるが、（a）に示すように筆置き板20の下端を粘着テープや丈夫な薄紙や布などの柔軟シート25で、回動可能に接着した図である。当然のことながらこの筆置き可能な凹部21は前側板12の上端よりも上部に位置するように、筆置き板20が前側板12の上端に寄り掛って立設されている。図３（ｂ）は筆置き板20の下方に凹条27を設けて折り曲げて取り付け部26とし、これを天板11の内面に接着などで取り付けられている。凹条27を設けて回動軸を長期の反復折り畳み使用に耐えるようにしたものである。また、図３（ｂ）と図４（a）、（ｂ）に示すように筆置き板20の上端を上方に少し折り曲げて持ち上げ片23としたら、天板11に接した筆置き板20の先端を持ち上げる際に指先が引っ掛かり易くて好適である。
【００２９】
図５に示すように、筆置き板20の左右の端部に左右の側板15，14の内寸よりも少し大となるように、ストッパ片22，22を設けておくと、筆置き板20を立設した際にストッパ片22，22の先端が側板15，14の左右の内面に、筆置き板20がわずかにたわんで当接し、その弾力性によって摩擦力が働きストッパとして機能し、筆置き板20が蓋10の中に倒れてしまうのを防止するものである。（図５において、ストッパ片22の先端が側板15，14に食い込んだ図となっているが、便宜上の図であり実際はたわむため食い込むことはないものである。）
筆置き板20をプラスチックシート製としたら弾力性が大であるため、ストッパとして働き易いが、板紙製としたら弾力性に欠けるためストッパとしての機能に少し欠けるものであるが、筆置き板が軽量であるため、紙製であっても差支えないものである。
【００３０】
又、本発明の絵筆置き付き蓋を本来の機能である絵具箱の蓋10として使用する際には、この筆置き板20を蓋10の中に折り畳み込むのであるが、天板11の内面に接するまで折り畳んでおくとこのストッパ片22が左右の側板15，14の内面に当接して、ストッパとして機能し、天板11を上にして絵具箱4に蓋をしようとする際に筆置き板20が下方に垂れ下がるのを防止するものである。
左右いずれか片方だけストッパ片22を設けたとしても、筆置き板20が軽量であるため、倒れたり、垂れ下がったりするのを防止するのは充分可能なことである。
【００３１】
しかし仮にストッパ片を設けなかったとしても、図１に示すように、筆置き板を前側板に寄り掛るように立設して、凹部に筆の軸をなんら問題なく置くことが可能である。
ただ、絵具箱に蓋をする際に筆置き板が垂れ下がって少し邪魔になるものの、絵具チューブ42の上に垂れ下がった筆置き板20の下端を置くようにして蓋をすることが可能である。
【００３２】
図６に示す実施例は、本願特許請求の範囲の請求項１に属するものであるが、柔軟シート25などで下端を取り付けた筆置き板20を立設したら、筆置き板20の前面が前側板12の内面にぴったりと接するような位置に取り付けたものである。このままで筆を置いても、両端のストッパ片22，22が働いていて固定されているため倒れることはないので、筆置き板付き蓋として使用できるものであるが、狭い机の上を広く使用するために、絵具42を収納した絵具箱4をこの筆置き板付き蓋の中に嵌めたところの図である。この実施例は収納された絵具チューブ42の上に筆3の軸の上端を置いて凹部21に軸を嵌めるようにして、絵具のついた穂先を前に出して置くことが可能となるものである。この実施例は室内での机の上や、屋外での写生の場所に置く絵画用具の種類をひとつでも少なくするのに好適な実施例といえる。
【００３３】
また、前側板の下端に回動軸が位置するように、筆置き板の下端を前側板に柔軟シートなどで回動可能に取り付けても前記と同じ効果を発揮するが（不図示）、これも請求項１に属するものである。
【００３４】
図４（a）、（ｂ）は図６に示すように絵具収納箱4を蓋10の中に嵌めることが可能なように、筆置き板20を立設したら前側板12の内面に筆置き板20の前面が接したところの拡大図である。
【００３５】
図７（a）、（ｂ）の実施例は、本願の請求項２に該当するものである。色の種類が多い場合は蓋10の長さも長くなるが、筆3の長さよりもずっと長いような場合は、この図7（a）のように蓋10の天板11の中ほどに、前記と同様の筆置き板20を取り付ける。図7（ｂ）に示すように、立設されたこの筆置き板20に設けられた係止部28，28としての凹部が、筆置き板20の近傍に回転可能に取り付けられていて、立設された支え板26の上端に設けられた係止片27，27に係止固定されて、図7（a）に示す三角形断面となって、堅固な筆置きが形成されるものである。
また、これらの筆置き板20や支え板26は絵筆の重量が非常に軽いため大きい強度は不要であり、材質はプラスチックシートや板紙製などとしても良い。
【産業上の利用可能性】
【００３６】
チューブ容器に入った水彩や油彩やアクリル絵の具などの絵具は多くが紙製の絵具箱に収納されて画材店や文具店などで販売されている。本発明の絵筆置き付き蓋は安価に製造可能なため、絵具箱の蓋にこれを取り付けたものを「筆置き付き絵具」として販売したら、他社との差別化を図ることができて売上増に貢献できる商品となるであろう。
【符号の説明】
【００３７】
10  蓋
11  天板
12  前側板
13  後側板
20  筆置き板
21  凹部
22  ストッパ片
23  持ち上げ片
【図１】
2013184440.tif 000003
【図２】
2013184440.tif 000004
【図３】
2013184440.tif 000005
【図４】
2013184440.tif 000006
【図５】
2013184440.tif 000007
【図６】
2013184440.tif 000008
【図７】
2013184440.tif 000009
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
四方側板と天板を有する絵具箱の蓋の天板の内面の前側板近傍に、上端に筆置き可能な凹部を設けた筆置き板の下端が回動可能に取り付けられ、前記凹部が、前記前側板の上端よりも上部に位置するように、前記前側板に寄り掛って立設されることを特徴とする筆置き板付き蓋。
【請求項２】
前記天板の内面に、上端に係止片を有する支え板の下端が回動可能に取り付けられ、立設されたこの支え板の係止片に、この支え板の近傍に取り付けられた係止部を有する前記筆置き板が、寄り掛るように立設係止されることを特徴とする請求項１記載の筆置き板付き蓋。
【請求項３】
前記筆置き板の左右の端部に、左右の側板間の内寸よりも幅広となるように、ストッパ片を設けたことを特徴とする請求項１または２記載の筆置き板付き蓋。
【請求項４】
前記筆置き板の上端に持ち上げ片を設けたことを特徴とする請求項１、２または３記載の筆置き板付き蓋。
【手続補正２】
【補正対象書類名】明細書
【補正対象項目名】００１２
【補正方法】変更
【補正の内容】
【００１２】
本発明の第３の課題解決手段は上記の目的を達成するために、前記筆置き板の左右の端部に、左右の側板間の内寸よりも幅広となるように、ストッパ片を設けたことを特徴とする請求項１または２記載の筆置き板付き蓋としたものである。
【手続補正３】
【補正対象書類名】明細書
【補正対象項目名】００１３
【補正方法】変更
【補正の内容】
【００１３】
本発明の第４の課題解決手段は上記の目的を達成するために、前記筆置き板の上端に持ち上げ片を設けたことを特徴とする請求項１、２または３記載の筆置き板付き蓋としたものである。